(57)【特許請求の範囲】
【請求項１】
所定の通信端末と近接させて非接触で通信する通信インターフェースと、
前記通信インターフェースとの非接触データ通信で取得した情報に基づいて、前記通信端末で規定される所定領域内外への移動を認識する認識手段と、
前記認識手段において前記所定領域内への移動が検出された場合に、前記通信端末から前記所定領域に固有の設定情報を受け付ける設定情報入力手段と、
前記設定情報を所定の記憶領域に記憶する設定情報記憶手段と、
現在の機能設定を前記記憶領域に記憶された前記設定情報に基づいて変更する設定変更手段と、を備え、
前記設定情報入力手段は、前記通信端末から前記通信端末に固有に割り当てられた端末情報を受け付け、受け付けた前記端末情報と同じ前記端末情報が前記記憶領域に記憶されている場合における前記通信端末に対する前記設定情報の送信不要通知、及び、受け付けた前記端末情報と同じ前記端末情報が前記記憶領域に記憶されていない場合における前記通信端末に対する前記設定情報の送信要求通知の少なくとも何れか一方を送信するか送信しないことによって、前記設定情報の送信の要否を通知し、前記設定情報の送信が必要な場合に前記通信端末から前記設定情報を受け付け、
前記設定情報記憶手段は、前記設定情報入力手段が受け付けた前記端末情報と同じ前記端末情報が前記記憶領域に記憶されていない場合に、前記端末情報と前記設定情報とを関連付けて前記記憶領域に記憶することを特徴とする携帯電話機。
【請求項２】
前記認識手段において前記所定領域内への移動が検出された場合に、現在の機能設定を保存する設定保存手段を備え、
前記設定変更手段は、前記認識手段において前記所定領域外への移動が検出された場合に、変更した機能設定を前記設定保存手段によって保存された機能設定に戻すことを特徴とする請求項１に記載の携帯電話機。
【請求項３】
請求項１に記載の携帯電話機の前記設定情報を管理記憶し、近接してきた前記携帯電話機に対し、前記送信不要通知を受け取らなかった場合若しくは前記送信要求通知を受け取った場合に、前記設定情報及び前記端末情報を非接触で送信可能に構成されていることを特徴とする通信端末。
【発明の詳細な説明】
【技術分野】
【０００１】
本発明は、機能設定の自動変更を行う携帯電話機に関する。
【背景技術】
【０００２】
従来、携帯電話機の利用者は、電車や映画館、病院等に入るとき等、マナーモードを始めとした各種設定を行う必要がある場合は、手動で各種設定変更を行う必要があった。
【０００３】
携帯電話機の各種機能設定を支援するための技術としては、例えば、携帯電話機の基地局と通信を行うことにより、若しくは、ＧＰＳ（Ｇｌｏｂａｌ  Ｐｏｓｉｔｉｏｎｉｎｇ  Ｓｙｓｔｅｍ）を用いることにより、携帯電話機の位置を特定し、位置情報に基づいて各種機能設定の自動切り換えを行う携帯電話機がある（例えば、特許文献１及び特許文献２参照）。
【０００４】
【特許文献１】特開２００４−７２３１３号公報
【特許文献２】特開２００３−２０９８８４号公報
【発明の開示】
【発明が解決しようとする課題】
【０００５】
特許文献１または２に記載の携帯電話機は、位置情報に基づいて自動的に設定変更を行うものであるが、携帯電話機が所定領域に入った場合に必ず機能設定が変更されてしまうため、設定変更が不要な場合であっても設定変更されてしまうといった問題があった。
【０００６】
また、特許文献１または２に記載の携帯電話機は、基地局との通信若しくはＧＰＳにより位置を特定するものであることから、電波状況によっては位置の特定に時間がかかる場合があったり、地下街等の電波状況が悪い場所であれば位置を特定できない場合があるという問題があった。
【０００７】
更に、基地局との通信若しくはＧＰＳにより位置を特定する場合には、位置特定の精度が約十数ｍであることから、所定領域内外への移動の判定に約十数ｍの誤差が生じる場合があるといった問題がある。具体的には、駅の改札や映画館の入口等を境に設定変更を行いたい場合であっても、場合によっては約十数ｍの誤差が生じ、駅の改札や映画館の入り口で設定変更が実施されない場合があるといった問題があった。
【０００８】
本発明は上記の問題に鑑みてなされたものであり、その第１の目的は、携帯電話機の設定変更を自動化するとともに、時間的位置的により精度良く機能設定の変更を行うことができる携帯電話機を提供する点にあり、第２の目的は、上記第１の目的を達成するための本発明に係る携帯電話機に対して必要な情報を送信可能な通信端末を提供する点にある。
【課題を解決するための手段】
【０００９】
上記目的を達成するための本発明に係る携帯電話機は、所定の通信端末と近接させて非接触で通信する通信インターフェースと、前記通信インターフェースとの非接触データ通信で取得した情報に基づいて、前記通信端末で規定される所定領域内外への移動を認識する認識手段と、前記認識手段において前記所定領域内への移動が検出された場合に、前記通信端末から前記所定領域に固有の設定情報を受け付ける設定情報入力手段と、前記設定情報を所定の記憶領域に記憶する設定情報記憶手段と、現在の機能設定を前記記憶領域に記憶された前記設定情報に基づいて変更する設定変更手段と、を備え、前記設定情報入力手段は、前記通信端末から前記通信端末に固有に割り当てられた端末情報を受け付け、受け付けた前記端末情報と同じ前記端末情報が前記記憶領域に記憶されている場合における前記通信端末に対する前記設定情報の送信不要通知、及び、受け付けた前記端末情報と同じ前記端末情報が前記記憶領域に記憶されていない場合における前記通信端末に対する前記設定情報の送信要求通知の少なくとも何れか一方を送信するか送信しないことによって、前記設定情報の送信の要否を通知し、前記設定情報の送信が必要な場合に前記通信端末から前記設定情報を受け付け、前記設定情報記憶手段は、前記設定情報入力手段が受け付けた前記端末情報と同じ前記端末情報が前記記憶領域に記憶されていない場合に、前記端末情報と前記設定情報とを関連付けて前記記憶領域に記憶することを第１の特徴とする。
【００１０】
上記特徴の携帯電話機によれば、所定領域を規定する通信端末を用いて設定変更を行うので、基地局との通信やＧＰＳを利用して位置を特定する場合に比べ、設定変更までにかかる時間を短縮することができ、通信料金をおさえることができる。更に、上記特徴の携帯電話機によれば、所定領域を規定する通信端末とのデータ通信により所定領域内外への移動を認識するので、所定領域内外への移動の判定を精度良く確実に行うことができる。また、上記特徴の携帯電話機によれば、利用者が携帯電話機を通信端末に近接させたときにのみ設定変更が行われるので、不必要な場合にまで自動的に設定変更されてしまう不都合を確実に解消することができる。更に、上記特徴の携帯電話機によれば、通信端末から設定情報を受け取るので、所定領域の属性に応じて詳細な設定が可能になる。
更に、上記特徴の携帯電話機によれば、通信端末の管理する設定情報が既に携帯電話機の記憶領域に記憶されている場合には、既に携帯電話機に記憶されている設定情報を利用するように構成したので、設定情報の取得にかかる非接触データ通信を省略することができ、設定情報の記憶にかかる手間及び時間を省力化することができる。
【００１１】
上記特徴の携帯電話機は、前記認識手段において前記所定領域内への移動が検出された場合に、現在の機能設定を保存する設定保存手段を備え、前記設定変更手段は、前記認識手段において前記所定領域外への移動が検出された場合に、変更した機能設定を前記設定保存手段によって保存された機能設定に戻すことを第２の特徴とする。
【００１２】
上記特徴の携帯電話機によれば、所定領域内から所定領域外へ移動する際に携帯電話機の機能設定を変更前の機能設定に戻すので、携帯電話機の利用者が機能設定を元に戻す手間を省力化することができる。
【００１９】
上記目的を達成するための本発明に係る通信端末は、上記第１の特徴の携帯電話機の前記設定情報を管理記憶し、近接してきた前記携帯電話機に対し、前記送信不要通知を受け取らなかった場合若しくは前記送信要求通知を受け取った場合に、前記設定情報及び前記端末情報を非接触で送信可能に構成されていることを特徴とする。
【００２０】
上記特徴の通信端末によれば、近接してきた前記携帯電話機であって設定情報の送信の必要な携帯電話機にのみ、設定情報を送信するので、当該携帯電話機は、上記第３の特徴の携帯電話機の作用効果を全て奏することができ、携帯電話機の設定変更を自動化するとともに、効率の良い設定変更を実施することができる。
【発明を実施するための最良の形態】
【００２１】
以下、本発明に係る携帯電話機及び通信端末の実施形態を図面に基づいて説明する。
【００２２】
本発明に係る携帯電話機は、図１に示すように、所定の通信端末２と近接させて非接触で通信する通信インターフェース１１、通信インターフェース１１との非接触データ通信で取得した情報に基づいて、通信端末２で規定される所定領域内外への移動を認識する認識手段１２、認識手段１２において所定領域内への移動が検出された場合に、通信端末２から所定領域に固有の設定情報を受け付ける設定情報入力手段１３、設定情報を所定の記憶領域１５に記憶する設定情報記憶手段１４、現在の機能設定を記憶領域１５に記憶された設定情報に基づいて変更する設定変更手段１６、及び、認識手段１２において所定領域内への移動が検出された場合に、現在の機能設定を保存する設定保存手段１７を備えて構成される。
【００２３】
本発明に係る携帯電話機１は、コンピュータのハードウェアとそのハードウェア上で実行されるアプリケーションソフトウェアで構成されており、認識手段１２、設定情報入力手段１３、設定情報記憶手段１４、設定変更手段１６、及び、設定保存手段１７をソフトウェア処理により実現させるためのプログラムを携帯電話機１のコンピュータ上で実行することにより実現される。
【００２４】
通信インターフェース１１は、本実施形態では、通信端末２の通信インターフェース２１と非接触でデータ通信可能に構成されたＩＳＯ／ＩＥＣ１４４４３の規格に準拠した非接触ＩＣチップであり、通信端末２の通信インターフェース２１に近接させることにより（例えば、１０ｃｍ以内）、自動的に非接触データ通信を開始する。
【００２５】
認識手段１２は、通信インターフェース１１による所定の通信端末２との非接触データ通信で取得した情報に基づいて、通信端末２で規定される所定領域内外への移動を認識する。具体的には、所定領域外にあると認識されているときに携帯電話機１の利用者が当該携帯電話機１を通信端末２に近接させて通信端末２との間で通信可能な状態にあることを通信端末２との間の通信により認識すると所定領域内への移動と認識し、所定領域内への移動が認識された後に携帯電話機１を通信端末２に近接させて通信端末２との間で通信可能な状態にあることを通信端末２との間の通信により認識すると所定領域外への移動と認識する。或いは、所定領域内への進入時の通信端末２と、所定領域内から退出時の通信端末２が異なる場合は、夫々の通信時に受け取る情報を異ならせても良い。
【００２６】
設定情報入力手段１３は、認識手段１２において所定領域内への移動が検出された場合に、通信端末２から所定領域に固有の設定情報を受け付ける。より具体的には、本実施形態の設定情報入力手段１３は、通信インターフェース１１を介して通信端末２から通信端末２に固有に割り当てられた端末情報を受け付け、受け付けた端末情報と同じ端末情報が記憶領域１５に記憶されていない場合に、通信端末２に対する設定情報の送信要求通知を行う。そして、送信要求通知を行った場合には通信端末２から設定情報を受け付ける。ここでの設定情報は、携帯電話機１の利用者が変更可能な機能設定であり、例えば、マナーモード設定やカメラ機能の無効化等を行うための情報である。
【００２７】
設定情報記憶手段１４は、設定情報を所定の記憶領域１５に記憶する。より具体的には、本実施形態の設定情報記憶手段１４は、設定情報入力手段１３が受け付けた端末情報と同じ端末情報が記憶領域１５に記憶されていない場合に、端末情報と設定情報とを関連付けて記憶領域１５に記憶する。所定の記憶領域１５は、携帯電話機１に予め搭載されている不揮発性半導体メモリ等のメモリの記憶領域１５であり、本実施形態では、通信端末２からの設定情報を記憶する専用の記憶領域１５が用意されている場合を想定して説明する。
【００２８】
設定変更手段１６は、現在の機能設定を記憶領域１５に記憶された設定情報に基づいて変更する。更に、本実施形態の設定変更手段１６は、認識手段１２において所定領域外への移動が検出された場合に、変更した機能設定を後述する設定保存手段１７によって保存された機能設定に戻す。本実施形態では、元の機能設定と通信端末２からの設定情報は記憶領域１５内の異なる領域（アドレス領域）に記憶されており、携帯電話機１において読み込む記憶領域１５のアドレス位置を変更することで、携帯電話機１の設定変更の切り替えを実現する。
【００２９】
設定保存手段１７は、認識手段１２において所定領域内への移動が検出された場合に、現在の機能設定を保存する。本実施形態では、通信端末２からの設定情報を元の機能設定が記憶されている記憶領域１５内の領域とは異なる領域に記憶することで、現在の機能設定を保存する。
【００３０】
通信端末２は、図１に示すように、近接させて非接触で通信する通信インターフェース２１、携帯電話機１から携帯電話機１に固有に割り当てられた識別情報を取得する識別情報取得手段２２、設定情報を送信すべき携帯電話機１の識別情報を記憶した識別情報記憶領域２３、所定領域に固有の設定情報を記憶した設定情報記憶領域２４、識別情報取得手段２２が取得した識別情報と同じ識別情報が識別情報記憶領域２３に記憶されている場合に、設定情報を携帯電話機１に送信する設定情報送信手段２５、及び、表示手段２６を備えて構成される。
【００３１】
本発明に係る通信端末２は、コンピュータのハードウェアとそのハードウェア上で実行されるアプリケーションソフトウェアで構成されており、識別情報取得手段２２及び設定情報送信手段２５をソフトウェア処理により実現させるためのプログラムを前記コンピュータ上で実行することにより実現される。
【００３２】
通信インターフェース２１は、携帯電話機１の通信インターフェース１１と非接触データ通信可能に構成されており、携帯電話機１が近接すると自動的に非接触データ通信を開始する。
【００３３】
識別情報取得手段２２は、通信インターフェース２１を介して携帯電話機１から携帯電話機１に固有に割り当てられた識別情報を取得する。ここでの識別情報は、携帯電話機１に固有に割り当てられた端末ＩＤである。
【００３４】
識別情報記憶領域２３は、設定情報を送信すべき携帯電話機１の識別情報を記憶している。本実施形態の識別情報記憶領域２３は、通信端末２内に設置された不揮発性のメモリ内の所定の記憶領域であり、設定情報を送信すべき携帯電話機１の端末ＩＤを記憶している。
【００３５】
設定情報記憶領域２４は、通信端末２内に設置された不揮発性のメモリ内の所定の記憶領域であり、所定領域（映画館、電車、病院等）に固有の設定情報を記憶している。
【００３６】
設定情報送信手段２５は、識別情報記憶領域２３を検索して、識別情報取得手段２２が取得した識別情報と同じ識別情報が識別情報記憶領域２３に記憶されている場合に、設定情報を設定情報記憶領域２４から読み出し、通信インターフェース２１を介して携帯電話機１に送信する。
【００３７】
次に、携帯電話機１及び通信端末２の処理について図２を基に説明する。尚、本実施形態では、通信端末２が映画館の出入り口に設置されている場合を想定して説明する。また、ここでの設定情報は、マナーモードへの切り替えとカメラ機能の無効化が含まれる場合を想定している。
【００３８】
更に、本実施形態の携帯電話機１は、プリペイド型電子マネーサービスを利用した入金、商品購入時の支払い、残高確認等を実施可能に構成されており、ここでは、映画館のチケットの購入を可能に構成してある場合を想定して説明する。チケットを購入すると、チケットの購入者の携帯電話機１の端末ＩＤが通信端末２の識別情報記憶領域２３に登録される。
【００３９】
携帯電話機１の利用者により、映画館の出入り口に設置された通信端末２に携帯電話機１が近接されると（ステップ＃１０１）、携帯電話機１は通信端末２との間で非接触データ通信を開始する。
【００４０】
通信端末２の識別情報取得手段２２は、非接触データ通信開始時に、携帯電話機１から携帯電話機１に固有に割り当てられた端末ＩＤを読み込む（ステップ＃１０２）。ここで、本実施形態の通信端末２は、携帯電話機１の端末ＩＤから当該映画館のチケットを購入済みであるかを確認する（ステップ＃１０３）。そして、通信端末２は、購入済みである場合には映画館への入場を許可し（ステップ＃１０３で購入済分岐）、チケットを未購入である場合には（ステップ＃１０３で未購入分岐）、映画館への入場を拒否するとともに表示手段２６にチケットが未購入である旨表示し（ステップ＃１０４）、携帯電話機１に対し作業終了信号を送信する（ステップ＃１１９）。
【００４１】
通信端末２は、携帯電話機１に対し映画館への入場を許可した場合に、映画館への入場許可通知を送信する（ステップ＃１０５）。携帯電話機１の認識手段１２は、入場許可通知を受信した場合に、映画館内への移動を認識する。携帯電話機１の設定情報入力手段１３は、認識手段１２によって映画館内への移動が認識されると、通信端末２に対し通信端末２に固有に割り当てられた端末情報の取得要求を行う（ステップ＃１０６）。通信端末２は、携帯電話機１から端末情報の取得要求を受け取ると、携帯電話機１に対し、通信端末２の端末情報を送信する（ステップ＃１０７）。
【００４２】
携帯電話機１の設定情報入力手段１３は、通信端末２から端末情報を受け付ける。続いて、携帯電話機１の設定変更手段１６は、受け付けた端末情報と同じ端末情報が記憶領域１５に記憶されている場合に（ステップ＃１０８でＹｅｓ分岐）、設定情報記憶領域２４から設定情報を読み出し（ステップ＃１０９）、現在の設定を設定情報に基づいて変更する（ステップ＃１１６）。携帯電話機１の設定情報入力手段１３は、受け付けた端末情報と同じ端末情報が記憶領域１５に記憶されていない場合に（ステップ＃１０８でＮｏ分岐）、通信端末２に対する設定情報の送信要求通知を行う（ステップ＃１１０）。
【００４３】
通信端末２の設定情報送信手段２５は、携帯電話機１から設定情報の送信要求通知があると、識別情報記憶領域２３を検索して、識別情報取得手段２２が読み込んだ端末ＩＤが登録されているか否かを確認する（ステップ＃１１１）。
【００４４】
設定情報送信手段２５は、識別情報記憶領域２３内に読み込んだ端末ＩＤと一致する端末ＩＤが記憶されていない場合（ステップ＃１１１で未登録分岐）、表示手段２６に未登録の旨表示し（ステップ＃１１２）、作業終了信号を送信する（ステップ＃１１９）。設定情報送信手段２５は、識別情報記憶領域２３内に読み込んだ端末ＩＤと一致する端末ＩＤが記憶されている場合（ステップ＃１１１で登録有分岐）、通信端末２が管理する設定情報を携帯電話機１に送信する（ステップ＃１１３）。尚、ステップ＃１０３でチケット購入済みの場合は、端末ＩＤは識別情報記憶領域２３に記憶されているものとする。
【００４５】
携帯電話機１の設定情報入力手段１３が通信端末２から所定領域に固有の設定情報を受け付けると（ステップ＃１１４）、設定情報記憶手段１４は、端末情報と設定情報とを関連付けて記憶領域１５に記憶する（ステップ＃１１５）。設定変更手段１６は、現在の機能設定を記憶領域１５に記憶された設定情報に基づいて切り替える（ステップ＃１１６）。設定変更が終了すると、携帯電話機１は、設定終了信号を通信端末２に対して送信する（ステップ＃１１７）。
【００４６】
通信端末２は、設定終了信号を受信すると、表示手段２６に設定変更が正常に終了した旨表示する（ステップ＃１１８）。
【００４７】
設定変更が正常に終了した旨表示した後、未登録の旨表示した後、或いは、チケットが未購入である旨表示した後、通信端末２は、作業終了信号を携帯電話機１に対して送信する（ステップ＃１１９）。携帯電話機１は、作業終了信号を受信すると通信を切断する（ステップ＃１２０）。
【００４８】
〈別実施形態〉
〈１〉上記実施形態では、通信端末２が映画館に設置されている場合を想定して説明したが、これに限られるものではない。
【００４９】
〈２〉上記実施形態では、設定情報として、マナーモードへの切り替えやカメラ機能の無効化等を想定したが、これに限られるものではない。着信時の着信音の音量設定やバイブ機能の設定、電源ＯＦＦ等、他の機能設定であっても良く、所定領域の属性に応じて適切に設定情報を作成することが好ましい。
【００５０】
〈３〉上記実施形態では、携帯電話機１の識別情報として携帯電話機１に固有の端末ＩＤを想定して説明したが、これに限られるものではない。例えば、携帯電話機１の電話番号等を識別情報として用いても良い。
【００５１】
〈４〉上記実施形態では、携帯電話機１において、記憶領域１５に既に通信端末２の設定情報が記憶されている場合に送信要求通知を行わず、記憶領域１５に通信端末２の設定情報が記憶されていない場合に送信要求通知を行うように構成したが、これに限るものではない。記憶領域１５に既に通信端末２の設定情報が記憶されている場合に送信不要通知を行い、記憶領域１５に通信端末２の設定情報が記憶されていない場合に送信不要通知を行わないように構成しても良いし、記憶領域１５に通信端末２の設定情報が記憶されていない場合に送信要求通知を行い、記憶領域１５に通信端末２の設定情報が記憶されている場合に送信不要通知を行うように構成しても良い。通信端末２は、送信不要通知のみを行う構成にした場合には、送信不要通知がない場合に設定情報を送信し、送信要求通知のみを行う構成にした場合には、送信要求通知があった場合に設定情報を送信するように構成する。また、携帯電話機１が送信不要通知及び送信要求通知の何れも行わない場合は、通信端末２を常に設定情報を送信するように構成する。
【００５２】
〈５〉上記実施形態において、通信端末２において識別情報取得手段２２及び識別情報記憶領域２３がなく、送信要求通知のあった携帯電話機１、若しくは、送信不要通知のない携帯電話機１の全てに対して設定情報を送信するように構成しても良い。
【００５３】
〈６〉上記実施形態において、携帯電話機１を、通信端末２から端末情報を受け付けずに、または、端末情報に関係なく、所定領域内に入ると毎回送信要求通知を行うように構成しても良い。このように構成することで、記憶領域１５の容量が限られている場合に有用である。
【図面の簡単な説明】
【００５４】
【図１】本発明に係る携帯電話機及び通信端末の概略構成を示す概略ブロック図
【図２】本発明に係る携帯電話機及び通信端末の動作を示すフロー図
【符号の説明】
【００５５】
１    携帯電話機
２    通信端末
１１  通信インターフェース
１２  認識手段
１３  設定情報入力手段
１４  設定情報記憶手段
１５  記憶領域
１６  設定変更手段
１７  設定保存手段
２１  通信インターフェース
２２  識別情報取得手段
２３  識別情報記憶領域
２４  設定情報記憶領域
２５  設定情報送信手段
２６  表示手段
【図１】
0004688705.tif 000002
【図２】
0004688705.tif 000003